【手続補正書】
【提出日】平成17年9月12日(2005.9.12)
【手続補正１】
【補正対象書類名】明細書
【補正対象項目名】特許請求の範囲
【補正方法】変更
【補正の内容】
【特許請求の範囲】
【請求項１】第１のヘッドセットと、第２のヘッドセット及びセット装置本体にそれぞれ配設され、これらの間隔が予め設定された所定の近距離通信可能範囲内に入ったとき、これらの間でネットワークを形成して双方向無線通信を可能とする無線通信装置を備えたヘッドセット装置において、上記第１のヘッドセットの無線通信装置がマスタとして機能し、少なくとも上記セット装置本体の無線通信装置、上記第２のヘッドセットの無線通信装置がスレーブとして第1のネットワークを構成するとともに、上記第２のヘッドセットの無線通信装置がマスタを兼ね、上記第２のヘッドセットの無線通信装置と少なくとも上記セット装置本体の無線通信装置とで第２のネットワークを構成したことを特徴とするヘッドセット装置。
【請求項２】  上記第１のヘッドセットまたは／及び上記第２のヘッドセットが、近距離通信可能範囲内に入ったとき、双方向無線通信を可能とする無線通信装置を備えた携帯電話の着信を検知する手段を備え、上記携帯電話に着信があったとき自動的に携帯電話で会話を行うことができることを特徴とする請求項１記載のヘッドセット装置。
【請求項３】  近距離通信可能範囲内に入ったとき、双方向無線通信を自動的に可能とする無線通信装置を備えたポータブルオーディオ機器からの音楽を上記第１のヘッドセットまたは／及び上記第２のヘッドセットで聴くことができることを特徴とする請求項１に記載のヘッドセット装置。
【請求項４】上記第１、第２のヘッドセットがそれぞれＭＰ３デコーダを備えたことを特徴とする請求項３に記載のヘッドセット装置。
【請求項５】上記セット装置本体が他の車両のセット装置本体と無線通信を行う通信装置を備えるとともに、上記第１のヘッドセットが、上記セット装置本体からの無線通信信号の有無を検知する手段を有し、他の車両と無線通信による会話を行うことができることを特徴とする請求項１に記載のヘッドセット装置。
【手続補正２】
【補正対象書類名】明細書
【補正対象項目名】００１１
【補正方法】変更
【補正の内容】
【００１１】
【課題を解決するための手段】
上記の目的を達成するため、本発明に係るヘッドセット装置（１）は、第１のヘッドセットと、第２のヘッドセット及びセット装置本体にそれぞれ配設され、これらの間隔が予め設定された所定の近距離通信可能範囲内に入ったとき、これらの間でネットワークを形成して双方向無線通信を可能とする無線通信装置を備えたヘッドセット装置において、上記第１のヘッドセットの無線通信装置がマスタとして機能し、少なくとも上記セット装置本体の無線通信装置、上記第２のヘッドセットの無線通信装置がスレーブとして第1のネットワークを構成するとともに、上記第２のヘッドセットの無線通信装置がマスタを兼ね、上記第２のヘッドセットの無線通信装置と少なくとも上記セット装置本体の無線通信装置とで第２のネットワークを構成したことを特徴とする。
【手続補正３】
【補正対象書類名】明細書
【補正対象項目名】００１２
【補正方法】変更
【補正の内容】
【００１２】
ブルートゥースの通信規格では、１台のマスタと最大7台のスレーブでピコネットと呼ばれるネットワークを形成して通信を行うことができるとともに、１台の無線通信装置で１つのピコネットのマスタもしくはスレーブと他のピコネットのマスタ／スレーブを兼ねることができ、ピコネットが複数集まって、スキャタネットを形成することもできる。本発明に係るヘッドセット装置（１）は、第２のヘッドセットの無線通信装置をマスタ及びスレーブとして動作させ、第１のヘッドセットをマスタとし、セット装置本体及び第２のヘッドセットをスレーブとするネットワークと、第２のヘッドセットをマスタとし、セット装置本体をスレーブとするネットワークの二つのネットワークを構成することにより、第２のヘッドセットを介してセット装置本体からの音楽信号を受信することができ、音楽を聴くことができる。
【手続補正４】
【補正対象書類名】明細書
【補正対象項目名】００１３
【補正方法】変更
【補正の内容】
【００１３】
また、本発明に係るヘッドセット装置（２）は、ヘッドセット装置（１）において、上記第１のヘッドセットまたは／及び上記第２のヘッドセットが、近距離通信可能範囲内に入ったとき、双方向無線通信を可能とする無線通信装置を備えた携帯電話の着信を検知する手段を備え、上記携帯電話に着信があったとき自動的に携帯電話で会話を行うことができることを特徴とする。
【手続補正５】
【補正対象書類名】明細書
【補正対象項目名】００１４
【補正方法】変更
【補正の内容】
【００１４】
上記ヘッドセット装置（２）によれば、第１のヘッドセットまたは第２のヘッドセットが携帯電話の着信を検知することができるので、携帯電話の着信があった場合、音楽聴取中や会話中であっても携帯電話の着信を認識して通話を行うことができる。
【手続補正６】
【補正対象書類名】明細書
【補正対象項目名】００１５
【補正方法】変更
【補正の内容】
【００１５】
さらに、本発明に係るヘッドセット装置（３）は、ヘッドセット装置（１）において、近距離通信可能範囲内に入ったとき、双方向無線通信を自動的に可能とする無線通信装置を備えたポータブルオーディオ機器からの音楽を第１のヘッドセットまたは／及び第２のヘッドセットで聴くことができることを特徴とし、本発明に係るヘッドセット装置（４）は、ヘッドセット装置（３）において、第１、第２のヘッドセットがそれぞれＭＰ３デコーダを備えたことを特徴とする。
【手続補正７】
【補正対象書類名】明細書
【補正対象項目名】００１６
【補正方法】変更
【補正の内容】
【００１６】
上記ヘッドセット装置（３）、（４）によれば、ポータブルオーディオ機器またはセット装置本体から送信されるＭＰ３信号形式で圧縮された音楽信号をＭＰ３デコーダによって音楽信号に再生して音楽を聴くことができる。
【手続補正８】
【補正対象書類名】明細書
【補正対象項目名】００１７
【補正方法】変更
【補正の内容】
【００１７】
さらに、本発明に係るヘッドセット装置（５）は、ヘッドセット装置（１）において、上記セット装置本体が他の車両のセット装置本体と無線通信を行う通信装置を備えるとともに、上記第１のヘッドセットが、上記セット装置本体からの無線通信信号の有無を検知する手段を有し、他の車両と無線通信による会話を行うことができることを特徴とする。
【手続補正９】
【補正対象書類名】明細書
【補正対象項目名】００１８
【補正方法】変更
【補正の内容】
【００１８】
上記ヘッドセット装置（５）によれば、上記第１のヘッドセットが、上記セット装置本体からの無線通信信号を検知するので、他の車両からの無線通信の要求を知ることができ、他の車両と会話を行うことができる。
【手続補正１０】
【補正対象書類名】明細書
【補正対象項目名】００６６
【補正方法】変更
【補正の内容】
【００６６】
【発明の効果】
以上詳述したように、本発明のヘッドセット装置は、第２のヘッドセットの無線通信装置をマスタ及びスレーブとして動作させ、第１のヘッドセットをマスタとし、セット装置本体及び第２のヘッドセットをスレーブとするネットワークと、第２のヘッドセットをマスタとし、セット装置本体をスレーブとするネットワークの二つのネットワークを構成することにより、第２のヘッドセットを介してセット装置本体からの音楽信号を受信することができ、音楽を聴くことができる。
【手続補正１１】
【補正対象書類名】明細書
【補正対象項目名】００６７
【補正方法】変更
【補正の内容】
【００６７】
また、近距離通信可能範囲内に入ったとき、双方向無線通信を自動的に可能とする無線通信装置を備えた携帯電話を用意し、第１のヘッドセット、第２のヘッドセットに携帯電話の着信を検知する手段を設ければ、携帯電話の着信があった場合、音楽聴取中や会話中であっても携帯電話の着信を認識して通話を行うことができる。また、近距離通信可能範囲内に入ったとき、双方向無線通信を自動的に可能とする無線通信装置を備えたポータブルオーディオ機器を用意すれば、ポータブルオーディオ機器からの音楽を第１のヘッドセット、第２のヘッドセットで聴くことができる。
【手続補正１２】
【補正対象書類名】明細書
【補正対象項目名】００６８
【補正方法】変更
【補正の内容】
【００６８】
さらに、本発明のヘッドセット装置のセット装置本体に他の車両のセット装置本体と無線通信を行う通信装置を設け、第１のヘッドセットにセット装置本体からの無線通信信号の有無を検知する手段を設けることにより第１のヘッドセットが、セット装置本体からの無線通信信号を検知するので、第１のヘッドセットを介して音楽を聴いている状態でも他の車両からの無線通信の要求を知ることができ、他の車両と会話を行うことができる。